(57)【要約】【課題】  災害発生時、多くの避難生活者が、プライバシーの侵害を受けたり、窮屈な空間での生活を強いられ、エコノミー症候群等の発症に気使いながらの生活を余儀なくされ、仮設住宅は、２か月程度かかり、できても十分な住宅数で無く、自分の生活範囲内の設置場所でもなく、抽選に当たるのもままならぬ実情です。【解決手段】  組立テントハウスを用いれば、災害の当日でも、翌日でも、２２００ｍｍｘ１１００ｍｍｘ５００ｍｍで、２００ｋｇの組立ユニットを受け取り、大人２人で、４時間有れば、２１００ｍｍｘ２１００ｍｍｘ高さ２０００ｍｍの居住空間を確保する事ができ、仮設住宅の完成後、または、自宅の改修後、分解し元の組立ユニットに戻す事のできる技術を特徴とします。【選択図】図１
2018017107.tif 000002
【特許請求の範囲】
【請求項１】
パレットをベースとする為、簡単に繋ぐ事ができ、２２００ｍｍｘ２２００ｍｍの平面スペースに、地上高１２５ｍｍの、分散荷重が４ｔｏｎ有る居住空間ができる。
パレットをベースとする為、部材を分解した時、２２００ｍｍｘ１１００ｍｍの大きさで全ての部材を積み上げ、残り半分のパレットを蓋にする事で、５００ｍｍの高さで収納でき、それぞれのパレットの分散荷重は２ｔｏｎ有り、この１軒分のユニットは４〜５段の積み上げが可能です。
パレットをベースとしている為、約２００ｋｇ組立ユニットは、フォークリフトや、ユニックで移動可能で、組立テントハウス完成後も、フォークリフトで移動が可能です。
【請求項２】
柱にアルミフレームを用いた為、アルミフレームのセンター溝内に、任意の位置で、ナットを入れる事ができ、どこでもボルトが締付けられます。
【請求項３】
組立式で、各パーツの重量が、ベースのパレットを除いて、１０ｋｇ以下の為必要な時に大人２人で組立、不要な時は、分解して収納が可能です。
【発明の詳細な説明】
【技術分野】
【０００１】  この発明は、災害発生時、緊急に多くの被災者の住まいが確保できる為の緊急避難住居に関する物である。
【背景技術】
【０００２】  災害時の緊急避難住居は、現在、公共施設の体育館で有ったり、公民館で有ったり、運動場のテント村で有ったり、車の中で有ったりしますが、プライバシーが確保できず、テントの場合、直接地面に触れるシート上とか、車の中ではエコノミー症候群等の命に関わる程の大きな問題を抱えています。
【発明の概要】
【０００３】  組立テントハウスと呼ばれる簡単に誰でも組立のできる、簡易組立住宅の出現により、平常時のストック状態から、大人２人が４時間以内に組立可能で、縦２ｍ横２ｍ高さ２ｍの空間を有し、プライベートが守れ、ゆったりとした睡眠のできる住居を確保できます。
【発明が解決しようとする課題】
【０００４】  従来の緊急避難住居には次の様な欠陥が有った。
１．体育館・公民館・学校等の住居では、プライバシーが守れず、段ボールとか、布とかで、間仕切りを行ったりしますが、視線を遮っても、ざわついたり、声が通り、安心して眠れません。
２．運動場などの広い場所にテントを張り、プライベート空間を確保しても、雨が降ったりすれば、地面の上に水が溜まり、水がテント内に染み込んできます。
３．車で過ごせば、プライベートの確保ができ、冷暖房も完備され、一見快適そうに見えますが、窮屈な中での生活で、エコノミー症候群を発症し、命を失う場合も有りました。
４．又、仮設住宅を自治体等が用意しますが、２か月位かかり、被災者は、最低２か月程度の避難生活を余儀なくされています。
５．コンテナハウス等、仮住まいできる物は色々有りますが、大きく・重くユニック車１台に１軒を運ぶようでは、効率が悪く、流通コストもかかり、被災地にこの様な大型車が入ると、他の物資の物流の邪魔となりかねません。
これらの事を含め、本発明は、対応できる様に考案された物です。
【課題を解決するための手段】
【０００５】  １．  日本国内で、一般的に流通している樹脂製パレット２枚をセットし、固定して２２００ｍｍｘ１１００ｍｍのベースを確保します。
２．この２枚のベースに壁、ドア、窓等を組付ける為の取付具を固定します。
３．この２枚のベースを合わせて組付け、パレット４枚分のスペースの、２２００ｍｍｘ２２００ｍｍを確保します。
４．このパレット４枚分のスペースの各コーナーに産業機械分野で一般的に使われるアルミフレームを大人２人で建て付けます。
５．このアルミフレームに壁材、窓付壁材を各面に２枚ずつ計６枚を組付け、４枚のパレットベースの３面を完成させます。
６．残り１面にドア、窓付壁、ウインドクーラー取付壁を組付け周囲４面を完成させます。
７．２分割された天井フレームを組立、先程のアルミフレームの４本柱に天井フレームを取付ます。
８．最後にテントを被せて、組立テントハウスは概ね完成です。
９．細部の仕上げを行って完成です。
１０．オプションとして、ウインドクーラーを取付けたり、ソファベッドを入れたり、好きな壁紙を貼って、快適な居住空間の完成です。
【発明の効果】
【０００６】１．本発明は、パレットをベースとし、アルミフレームを柱とした為、組立工程が、簡単で、各部品も軽量化が図れ、在庫スペースが少なく済みます。
▲１▼  ２２００ｍｍｘ１１００ｍｍの２枚組パレットがベースで、１枚のパレットの耐荷重は１ｔｏｎで、２枚の分散荷重は２ｔｏｎとなり、この１枚のパレットベース上に各壁材・窓付壁材・扉・アルミフレーム・天井フレーム・天井テントを積み上げ、残りのパレットベースを蓋として被せれば、全ての部材が収納でき、２２００ｍｍｘ１１００ｍｍｘ高さ５００ｍｍとコンパクトで、重量も２００ｋｇ弱の為、４段から５段の積み上げも可能で、大量のストックができ、輸送も４ｔｏｎトラックに２０軒分積み込めます。
▲２▼  ベースがパレット４枚の為、基礎出しは、９個のブロックを並べ、嵩上げを行った上、パレットの厚みが１２５ｍｍ程度有り、雨が降っても、居住空間は、水に浸からず、通気性も確保できます。
又、雨の降っている時の出入りで、靴は、室内に脱いでも、居住空間に影響なく置く場所が確保できる為、雨の日の出入りも自由にできます。
▲３▼  ベースがパレットの為、組立後の移動も、どの方向でもフォークリフトの爪が入り可能です。
▲４▼屋根がテントの為、天井部を密閉する事も、隙間を設ける事も自在にでき、天井部の風通しが調整できます。
【図面の簡単な説明】
【０００７】
【図１】  本発明の組立テントハウス正面図
【図２】  本発明の組立テントハウス側面図
【図３】  本発明の組立テントハウスユニット図
【符号の説明】  １．１１００ｍｍｘ１１００ｍｍパレット
２．□３０ｍｍアルミフレーム
３．１１００ｍｍｘ１８９０ｍｍ壁
４．１１００ｍｍｘ１８９０ｍｍ小窓付壁
５．扉
６．窓付壁
７．ウインドクーラー取付スペース
８．天井フレーム
９．テント
【発明を実施するための形態】
【０００８】  以下、本発明を実施する形態について説明する。
２２００ｍｍｘ１１００ｍｍｘ５００ｍｍの上下２枚組パレットに挟まれた部材を分解し上の２枚組パレットと下の２枚組パレットを組付ける。
この時、本発明を設置する場所に９個のブロックを各４枚のパレットのコーナーが等分に乗るように配置し、９個のブロックの上面が水平になるように設置する。
４枚の組合せパレットの周囲の部品と柱用のアルミフレームをネジ止めし、壁を各面２枚ずつ組付け、３面の壁を取り付ける。
３面の壁は、押え付用アルミフレームで押え付け、柱用アルミフレームにネジ止めで固定する
最後の１面に扉を付け、窓付壁を付け、ウインドクーラー取付スペース壁を取付け、上から押え付用アルミフレームで押え付け、柱用アルミフレームにネジ止めで固定する。
天井フレームを組付け、先程組立てた４本柱のアルミフレームに天井フレームを取付け、テントを被せ、天井フレームにテントを結んで外観を完成させる。
底部のパレットにコンパネを敷き、床板とし組立テントハウスを完成させる。
【図１】
2018017107.tif 000003
【図２】
2018017107.tif 000004
【図３】
2018017107.tif 000005